(57)【要約】【課題】  大型の電子装置に対しカバーを取り付ける場合、ねじ固定箇所を削減する為にカバーの一方を差し込む構造とすると、地震等の振動が加わった際、電子装置に反りが発生して固定が外れてしまう場合がある。【解決手段】  カバーの下部に突起形状と、その突起形状部に引っ掛け用の開口を設ける。電子装置の筐体側には、カバー突起形状を差し込める開口と、カバー突起の引っ掛け用の開口に対応した箇所に、引っ掛け用の曲げ形状部を設ける。カバー突起部を電子装置の筐体の開口に差込み、そこを軸として電子装置方向へ回転させることで、カバー突起の引っ掛け用の開口が筐体の引っ掛け用曲げ形状部に引っかかり、カバーの上部を筐体にねじ固定することで、がたつきなくカバーを固定する。【選択図】  図３
2016207877.tif 000002
【特許請求の範囲】
【請求項１】
電子装置の筐体に保護カバーを取り付けるカバー固定構造であって、
前記電子装置は、装置本体を収容する筐体と、該筐体の前面下部に固定されたカバー保持板と、該カバー保持板に保持される保護カバーとを備えており、
前記カバー保持板は、前記筐体の横方向に伸びかつ前方に張り出すようにして設けられており、
該カバー保持板は、その左右両端付近に、各々、水平開口、垂直開口、及び該垂直開口に設けられた引っ掛け用曲げ形状部を有し、
前記保護カバーは、該保護カバーの下部でかつ前記水平開口に対応する位置に設けられたカバー突起と、前記引っ掛け用曲げ形状部に対応する位置に設けられたカバー突起の開口とを有し、
前記カバー突起を前記水平開口へ差し込んだ状態で、前記保護カバーを前記筐体側に回転させることにより、前記引っ掛け用曲げ形状部が前記カバー突起の開口に差し込まれるように構成されている
ことを特徴とする電子装置の保護カバー固定構造。
【請求項２】
請求項１に記載の保護カバー固定構造であって、
前記引っ掛け用曲げ形状部は、該曲げ形状部の先端が前記カバー突起の開口の板厚内に入り込む位置に曲げられた形状である
ことを特徴とする電子装置の保護カバー固定構造。
【請求項３】
請求項２に記載の保護カバー固定構造であって、
前記カバー突起は、前記保護カバー下部の左右両端付近に設けられており、
前記カバー保持板は前記水平開口を有する平坦な保持面と、該保持面の縁を下方に折り曲げた下方延長部とがあり、
前記下方延長部に、前記筐体の内部方向へわずかに角度をつけた前記引っ掛け用曲げ形状部を有する垂直開口が設けられている
ことを特徴とする電子装置の保護カバー固定構造。
【請求項４】
装置本体を収容する筐体と、該筐体の前面下部に固定されたカバー保持板と、該カバー保持板に保持され前記筐体の前面を覆う保護カバーとを備えた電子装置であって、
前記カバー保持板は、前記筐体の横方向に伸びかつ前方に張り出すようにして設けられており、
該カバー保持板は、その左右両端付近に、各々、水平開口、垂直開口、及び該垂直開口に設けられた引っ掛け用曲げ形状部を有し、
前記保護カバーは、該保護カバーの下部でかつ前記水平開口に対応する位置に設けられたカバー突起と、前記引っ掛け用曲げ形状部に対応する位置に設けられたカバー突起の開口とを有し、
前記カバー突起を前記水平開口へ差し込んだ状態で、前記保護カバーを前記筐体側に回転させることにより、前記引っ掛け用曲げ形状部が前記カバー突起の開口に差し込まれるように構成されている
ことを特徴とする電子装置。
【請求項５】
請求項４に記載の電子装置であって、
前記カバー保持板は前記筐体の底面よりも高い位置に固定されており、
該カバー保持板の下方の空間に電源ユニットや冷却装置が配置されており、
前記引っ掛け用曲げ形状部は、該曲げ形状部の先端が前記カバー突起の開口の板厚内に入り込む位置に曲げられた形状である
ことを特徴とする電子装置。
【発明の詳細な説明】
【技術分野】
【０００１】
本発明は、電子装置の保護カバー固定構造及び電子装置に係り、特に、振動等の力が加わった際に固定が外れず、簡易に取り付けすることが可能なカバーの固定構造に関する。
【背景技術】
【０００２】
装置の正面で光ファイバケーブルの接続を行う大型の電子装置では、光ファイバケーブルへ誤って接触してしまう事を防止するため、正面に保護カバーを設ける構造が多く採用されている。その際、光ファイバケーブルの増加に伴い、カバーも必然的に大きなサイズとなり、カバーの固定強度や取り付け性が悪化するため、これを改善する事が求められる。
【０００３】
大型の保護カバーを取り付ける方法として、固定強度を持たせるために四隅をねじ止めする事が考えられるが、カバーを取り付けるためのガイドや支える構造がない状態で、ねじ止め部の位置合わせをすることは困難である。これに対し、カバーの一方に突起形状を設けて電子装置の開口に差込み、もう一方をねじ固定する構造であれば、差込みによってねじ止め部の位置合わせが行われ、ねじを削減した上で取り付け性を向上させることが出来る。しかしながら、地震等の振動が加わった場合、単純な差込み構造では電子装置が反ることでカバー突起が差込み口から抜け、固定が外れる場合がある。
【０００４】
特許文献１には、使用するねじ本数を削減してカバーを取り付けることが可能であり、且つ固定が外れにくい構造例が記載されている。ここで、特許文献１の構成例について、図８を用いて説明する。開口面Ａを有した中空の筐体１０に対し、カバー２０をねじ固定する構造にあって、筐体は一端側に開口穴１４を複数備え、他端側に突起１２を有する構造とする。また、カバーは、筐体の開口穴に嵌合する屈曲された先端部２４を備え、筐体の突起１２に嵌合する挿入穴２２を有する構造とする。
【先行技術文献】
【特許文献】
【０００５】
【特許文献１】特開２００５−２６３２１号公報
【発明の概要】
【発明が解決しようとする課題】
【０００６】
カバー突起が差込み口から抜け、固定が外れるという従来の課題の対策として、カバー突起をある程度長くして抜けを防止することが考えられるが、カバーのサイズが大きくなる程、電子装置の反り量も増加するため、突起も合わせて長くしていかなければならない。この時、カバーの固定が外れない突起の長さになっているのかは、反り量解析や振動試験を実施して確認しなければならず、また、突起を長くすることはスペース上の制約により不可能な場合も考えられる。
【０００７】
上記特許文献１の発明では、カバーの先端部２４を開口穴１４に差込んで回転させることで、屈曲された先端部が筐体に圧接され、カバーの開口穴には筐体の突起１２が差込まれて取り付くことで、カバーが筐体に引っかかり、固定が外れにくい構造となる。しかしながら、特許文献１の発明において、大型の電子装置を振動させた際に問題となる、上方向への抜け防止に対する固定強度と、カバーの取り付け作業性は、トレードオフの関係にあり、固定強度を上げることで取り付け作業性が悪化するという課題がある。
【０００８】
すなわち、上記特許文献１において、カバー突起の曲げ角度を小さくする程、カバー突起を筐体の開口に差し込みやすくなり、取り付け作業性は向上する。しかし、カバー突起が筐体に引っかかる量は少なくなり、大型の電子装置では、地震等の振動が加わった場合、筐体の反りの影響でカバーの固定が外れる可能性がある。
【０００９】
これを改善しようと、カバー突起の曲げ角度を大きくすると、カバー外れに対しては強固になるが、取り付け時にカバー突起を筐体の開口部へ差込む際、カバーを大きく傾ける必要があり、大型のカバーでは非常に作業性が悪くなる。また、カバー突起を長くしていくと、カバー突起が筐体正面から飛び出してしまい、安全性やデザイン性に影響するため、飛び出さない範囲でカバー突起サイズを決定しなければならない。
【００１０】
上述の問題を鑑みて、本発明では、カバーの取り付け作業性を損なうことなく、振動によりカバーの固定が外れてしまうことを防止した構造を提供することを目的とする。
【課題を解決するための手段】
【００１１】
上記課題を解決するため、本発明は、電子装置の筐体に保護カバーを取り付けるカバー固定構造であって、前記電子装置は、装置本体を収容する筐体と、該筐体の前面下部に固定されたカバー保持板と、該カバー保持板に保持される保護カバーとを備えており、前記カバー保持板は、前記筐体の横方向に伸びかつ前方に張り出すようにして設けられており、該カバー保持板は、その左右両端付近に、各々、水平開口、垂直開口、及び該垂直開口に設けられた引っ掛け用曲げ形状部を有し、前記保護カバーは、該保護カバーの下部でかつ前記水平開口に対応する位置に設けられたカバー突起と、前記引っ掛け用曲げ形状部に対応する位置に設けられたカバー突起の開口とを有し、前記カバー突起を前記水平開口へ差し込んだ状態で、前記保護カバーを前記筐体側に回転させることにより、前記引っ掛け用曲げ形状部が前記カバー突起の開口に差し込まれるように構成されている。
【発明の効果】
【００１２】
本発明によれば、カバーの突起形状を筐体のカバー保持板の開口に差込んでカバーを回転させることにより、人の手による支えが不要で、ねじ取り付け時の位置合わせが容易な構造を、特許文献１の構成と比較して部品点数を増やすことなく実施できる。カバーの取り外し時においても、カバー突起が差し込まれた状態でカバー保持板の引っ掛け用曲げ形状部に引っかかっているため、意図的にカバーを回転させて持ち上げなければ固定が外れることは無く、ねじを取り外した際にカバーが意図せず脱落することを防止できる。  
また、カバーの上部二箇所をねじ固定とし、下部二箇所を引っかかる構造のため、カバーの四隅をねじ固定する構造に対してねじ使用本数を削減して、がたつきなく固定することが出来る。更に、カバー保持板の引っ掛け用曲げ形状部の引っ掛かりにより、カバーの浮き上がりが抑えられる本発明の構造は、装置サイズ、反り量に合わせて、形状を変更する必要がなく、反り量解析や耐震試験による確認作業が不要となる。
【図面の簡単な説明】
【００１３】
【図１】本発明の第一の実施例に係る電子装置において、筐体に保護カバーを取り付けた状態を示す斜視図である。
【図２】図１の電子装置において、筐体に保護カバーを取り付ける前の状態を示す斜視図である。
【図３】第一の実施例における、カバー下部のカバー突起とカバー保持板の開口の関係を示す、斜視図である。
【図４】第一の実施例における、カバー突起をカバー保持板の開口に差し込む前の状態を示す断面図である。
【図５】第一の実施例における、カバー突起をカバー保持板に差し込んだ状態を示す断面図である。
【図６】第一の実施例における、カバー突起の開口部にカバー保持板の引っ掛け用曲げ形状部が差し込まれた状態を示す断面図である。
【図７】第一の実施例における、カバー上部のねじ固定部を示す断面図である。
【図８】従来例に係るカバー付筐体構造の斜視図である。
【発明を実施するための形態】
【００１４】
以下、本発明の実施形態について図面を用いて説明する。
【実施例１】
【００１５】
図１は、本発明の第一の実施例１に係る電子装置1００の外観を示した斜視図である。
【００１６】
なお、電子装置１００は、例えば、光信号伝送線路として光ファイバを適用し情報処理または通信などを行なう光多重通信装置である。光多重通信装置では、データ通信の増大、伝送需要の増大、などによる基幹網の大容量化の要求に対処するために、装置の高密度化、情報伝送容量の大容量化、高機能化などが必要である。
【００１７】
電子装置１００は、全体としてはステンレス鋼やアルミニウム合金等金属板を折り曲げ加工して形成された筐体により構成され、この筐体の内部に、光コネクタ接続部や光電変換回路を構成する素子群などの装置本体が収容されている。光コネクタ接続部には、光ファイバ（図示略）が接続される。この装置本体部分の前面は網目状の保護カバー１０２で覆われている。光ファイバは筐体の横方向外側から保護カバー１０２の後ろの空間を経て、光コネクタ接続部に接続される。
【００１８】
電子装置１００の上部両端には、インタフェース部１３４を囲むようにして、カバー固定用金物１０３が取り付けられている。ここで、電子装置１００の正面側にカバー１０２を取り付ける際は、カバー１０２の上部を２本のカバー固定用ねじ１０４にてカバー固定用金物１０３に対して、固定する。
【００１９】
電子装置１００の前面両側部には、取り付けブラケット１０８がねじ１０９で固定されている。また、電子装置１００の筐体の前面下部には、カバー保持板１１０が筐体の横方向に伸びかつ前方に張り出すようにして固定されている。このカバー保持板１１０は筐体の底面よりも若干高い位置に固定されており、カバー保持板の下方の空間において、電子装置１００の電源ユニットや冷却用の送風ユニット等が筐体に固定され、これらは、パワーカバー１３２等で覆われている。
【００２０】
図２は、カバー１０２を筐体に取り付ける前の状態を示した電子装置１００の斜視図である。カバー１０２の下部の左右両端付近には、カバー突起１２１が設けられており、電子装置１００の筐体側のカバー保持板１１０には、左右のカバー突起１２１を差し込むための開口１１１、及びカバー１０２の位置決めをするための位置決め用突起１１３が左右両端付近に設けられている。取り付けブラケット１０８の内側には、光コネクタ接続部１３６などが設けられている。また、カバー保持板１１０の下には、電源ユニット１３５や冷却装置などが実装されている。
【００２１】
図３は、カバー突起１２１とカバー保持板１１０の開口（水平開口）１１１の関係を示す、拡大斜視図である。カバー保持板１１０は、所定の機械的強度(剛性や弾性)を有する材料、例えばステンレス鋼やアルミニウム合金などの１枚または複数枚の金属板をプレス加工や接合することにより形成される。例えば、一枚の天板の左右両端付近に、各々、水平開口を有する別の板部材を固定しても良い。カバー保持板１１０は、用途によっては所定の機械的強度を有する非金属材料でもよい。このカバー保持板１１０は上記水平開口１１１を有する平坦な保持面と、この保持面の縁を下方に折り曲げた下方延長部とがあり、この下方延長部、すなわち、上記水平開口１１１に対して縦な面にあたる正面部に、電子装置１００の筐体の内部方向へわずかに角度をつけた筐体の引っ掛け用曲げ形状部１１２を有する開口（垂直開口）１１４を設けている。また、カバー突起１２１の中心部分には、カバー突起の開口１２２が設けられている。
【００２２】
このとき、電子装置の筐体側の（水平）開口１１１と、カバー突起１２１の幅寸法を、それぞれＨａ、Ｈｂと定義する。また、垂直開口１１４内の引っ掛け用曲げ形状部１１２と、カバー突起の開口１２２の幅寸法を、それぞれＨｓ、Ｈｔと定義する。本実施例においては、Ｈａ＞Ｈｂ、Ｈｓ＜Ｈｔの関係が成立しなければならない。
【００２３】
加えて、カバー突起１２１は、先端の角部にカバー突起面取り部２１aを設けることで、カバー突起１２１を筐体の開口１１１に差込む際の、カバーの左右方向の位置決めを容易にし、カバー取り付け性を向上させることが出来る。
【００２４】
次に、図４から図７を用いて、カバー１０２を電子装置の筐体に取り付ける手順について説明する。  
図４は、カバー突起１２１をカバー保持板１１０の開口１１１に差し込む前の状態を示した断面図である。
【００２５】
カバー突起１２１は、所定の機械的強度を有する材料から形成され、カバー突起固定用リベット１２３によってカバー１０２に固定されている。カバー突起１２１は、このようにカバー１０２と別部品として取り付ける他、所定の機械的強度を有するカバー１０２と一体に形成しても良い。ここで、カバー突起１２１は、ぶっつけた衝撃等で容易に変形してしまわない板厚（Ｚ、図６参照）を有するものとする。
【００２６】
また、カバー保持板１１０の開口１１１の奥行き方向をＤと定義する。Ｄの寸法は、カバー突起１２１の板厚（Ｚ）より十分に大きくすることで、カバー突起１２１を筐体の開口１１１に差込む際の作業性を向上させることが出来る。
【００２７】
カバー保持板１１０の下方延長部は、カバー突起１２１の回動時にストッパーとして機能するものであり、延長部の高さは、カバー突起１２１の長さよりも長くなっている。更に、カバー保持板１１０の下方延長部に設けられた引っ掛け用曲げ形状部１１２は、曲げる角度（θ、図５参照）をわずかにすることで、カバー突起１２１の差し込み時に邪魔にならない構造となっている。
【００２８】
図５は、カバー突起１２１をカバー保持板１１０の開口１１１に差し込んだ状態を示した断面図である。引っ掛け用曲げ形状部１１２の曲げ角度θは、５度〜１０度程度とするのが望ましい。カバー突起１２１は、作業可能な範囲において、どのような角度からでも差し込んで良い。カバー突起１２１の差し込みは、カバー１０２の一辺であるカバー下側角部１２４と筐体のカバー保持板１１０が突き当たるまで行う。
【００２９】
図６は、カバー突起の開口１２２に、カバー保持板１１０の引っ掛け用曲げ形状部１１２が差し込まれた状態を示す断面図である。すなわち、カバー下側角部１２４（図５参照）のカバー保持板１１０との接触線を軸として、カバー１０２を電子装置の筐体方向へ回転させることで、カバー突起１２１の開口１２２が引っ掛け用曲げ形状部１１２に引っかかり、この状態で、カバー１０２の上部を筐体にねじ固定することで、カバー１０２をがたつきなく筐体に固定することが可能となる。
【００３０】
電子装置の筐体の引っ掛け用曲げ形状部１１２の先端部は、カバー突起１２１の板厚Ｚの範囲、例えば２ｍｍ〜３ｍｍ、内に位置するものとする。且つ、筐体の引っ掛け用曲げ形状部１１２の先端部と、カバー突起の開口１２２の端面との縦方向のクリアランスをｄと定義した場合、ｄの値は極力小さいことが望ましい。この時、カバー１０２に対して上方向へ持ち上げる力が掛かった場合、筐体の引っ掛け用曲げ形状部１１２の先端部がカバー突起の開口１２２の上の縁と接触するため、カバー１０２はｄの値内で移動が制限されることになり、カバー１０２の固定が外れることはない。
【００３１】
また、カバー１０２に対して横方向へ力が掛かった場合、図３に示すカバー突起の開口１２２の幅寸法Ｈｔの値から、筐体の引っ掛け用曲げ形状部１１２の幅寸法Ｈｓの値を引いた値内で移動が制限されることになり、カバー１０２の取り付けのがたつきを抑えることが出来る。
【００３２】
更に、カバー１０２に対して電子装置１００の筐体の正面から背面方向へ力が掛かった場合については、位置決め用突起１１３にカバー１０２が突き当たり、位置が規制される。逆に、カバー１０２に対して電子装置１００の筐体の背面から正面方向への力が掛かった場合は、カバー突起１２１が電子装置１００の筐体の正面部に突き当たり、同様に位置が規制される。これらにより、カバー１０２の奥行き方向のがたつきを抑える事が可能となる。
【００３３】
図７は、電子装置１００の筐体の上部に取り付けられたカバー固定用金物１０３に対して、カバー１０２をねじ固定した状態を示す断面図である。カバー１０２の上端には、所定の機械的強度を有するカバー上枠１２５がカバー１０２と別部品として取り付けられており、このカバー上枠１２５をカバー固定用ねじ１０４でカバー固定用金物１０３に固定する。カバー上枠部分をカバー１０２と一体に形成しても良い。図７では、カバー固定用ねじ１０４について、つまみねじで示しているが、一般的な小ねじを使用しても良く、あるいは、ナイラッチ(登録商標)等他の固定方法でも良い。
【００３４】
また、電子装置１００の筐体の上部やカバー１０２の上部の形状を変更することで、カバー固定用金物１０３を削除し、カバー１０２の上部を電子装置１００の筐体に直接固定する方法でも良い。
【００３５】
本実施例によれば、カバー突起１２１のカバー保持板１１０への差し込みにより、カバー１０２が筐体に固定される位置はほぼ決定された状態になっているため、カバー１０２の上部を筐体にねじ固定するための位置合わせは容易に行うことが出来る。
【００３６】
このように、本実施例によれば、カバーの突起形状を電子装置の筐体に一体に設けられたカバー保持板の開口に差込んだ状態でカバーを回転させることにより、人の手による支えが不要で、ねじ取り付け時の位置合わせが容易な構造を、部品点数を増やすことなく実施できる。カバーの取り外し時においても、カバー下部のカバー突起が差し込まれた状態で筐体に一体に設けられたカバー保持板の引っ掛け用曲げ形状部に引っかかっているため、意図的にカバーを回転させて持ち上げなければ固定が外れることは無く、ねじを取り外した際にカバーが意図せず脱落することを防止できる。また、地震等の振動が加わり、電子装置に反りが発生した場合にも、カバーの筐体に対する固定が簡単に外れてしまうことを防止できる。  
また、カバーの上部二箇所をねじ固定とし、下部二箇所を引っかかる構造のため、カバーの四隅をねじ固定する構造に対してねじ使用本数を削減して、がたつきなく固定することが出来る。なお、電子装置１００のサイズやカバーに要求される機能に応じて、カバーの下部の突起形状や上部のねじ固定の箇所の数を、適宜変更しても良い。更に、電子装置の筐体の引っ掛け用曲げ形状部の引っ掛かりにより、カバーの浮き上がりが抑えられる本発明の構造は、既存の電子装置の筐体にそのまま適用でき、装置サイズ、反り量に合わせて、形状を変更する必要がなく、反り量解析や耐震試験による確認作業が不要となる。
【符号の説明】
【００３７】
１００    電子装置
１０２    保護カバー
１０３    カバー固定用金物
１０４    カバー固定用ねじ
１０８    取り付けブラケット
１０９    ねじ
１１０    カバー保持板
１１１    カバー保持板の開口
１１２    カバー保持板の引っ掛け用曲げ形状部
１１３    位置決め用突起
１２１    カバー突起
１２１a    カバー突起面取り部
１２２    カバー突起の開口
１２３    カバー突起固定用リベット
１２４    カバー下側角部。
【図１】
2016207877.tif 000003
【図２】
2016207877.tif 000004
【図３】
2016207877.tif 000005
【図４】
2016207877.tif 000006
【図５】
2016207877.tif 000007
【図６】
2016207877.tif 000008
【図７】
2016207877.tif 000009
【図８】
2016207877.tif 000010